(57)【特許請求の範囲】
【請求項１】
携帯端末であって、
カメラ部と、
前記カメラ部が撮影した撮影画像を保存する画像保存部と、
前記撮影画像を投影するプロジェクタ部と、
前記撮影画像に前記携帯端末の所持者以外のメンバが写っているか否かを検出する画像処理部と、
前記カメラ部による撮影時に、前記撮影画像に前記メンバが写っている場合、該メンバのメンバ端末を識別するための端末ＩＤを保存する検出情報保存部と、
前記プロジェクタ部による前記撮影画像の投影時に、該撮影画像に前記メンバが写っている場合、前記カメラ部による撮影時に当該メンバのメンバ端末から取得した、該メンバの顔公開の可否を示す顔公開可否情報が可を示していれば、当該メンバの顔を公開し、該メンバの顔公開可否情報が不可を示していても、該メンバのメンバ端末の端末ＩＤをキーにして、該メンバのメンバ端末が一定範囲内に位置しているか否かを判断し、一定範囲内に位置していれば、該メンバの顔を公開する制御部と、を有する携帯端末。
【請求項２】
前記制御部は、
前記プロジェクタ部による前記撮影画像の投影時に、該撮影画像に前記メンバが写っている場合、該メンバの顔公開可否情報が不可を示し、かつ、該メンバのメンバ端末が一定範囲内に位置していなければ、該メンバの顔を公開しない、請求項１に記載の携帯端末。
【請求項３】
前記画像処理部は、
前記撮影画像に前記メンバが写っている場合、該メンバの名前を特定し、
前記検出情報保存部は、
前記カメラ部による撮影時に、前記撮影画像に前記メンバが写っている場合、該メンバのメンバ端末の端末ＩＤと、前記メンバの名前を示す名前情報と、を紐付けして保存し、
前記制御部は、
前記プロジェクタ部による前記撮影画像の投影時に、該撮影画像に写っているメンバの顔を公開しない場合、該撮影画像中の該メンバの顔領域に、該メンバの名前情報が示す名前に応じたアルファベット画像を貼り付ける、請求項２に記載の携帯端末。
【請求項４】
カメラ部と、前記カメラ部が撮影した撮影画像を保存する画像保存部と、前記撮影画像を投影するプロジェクタ部と、を有してなる携帯端末による撮影画像公開方法であって、
前記撮影画像に前記携帯端末の所持者以外のメンバが写っているか否かを検出し、
前記カメラ部による撮影時に、前記撮影画像に前記メンバが写っている場合、該メンバのメンバ端末を識別するための端末ＩＤを検出情報保存部に保存するとともに、前記撮影画像に写っている前記メンバのメンバ端末から顔公開の可否を示す顔公開可否情報を取得し、
前記プロジェクタ部による前記撮影画像の投影時に、該撮影画像に前記メンバが写っている場合、該メンバの顔公開可否情報が可を示していれば、該メンバの顔を公開し、該メンバの顔公開可否情報が不可を示していても、該メンバのメンバ端末の端末ＩＤをキーにして、該メンバのメンバ端末が一定範囲内に位置しているか否かを判断し、一定範囲内に位置していれば、該メンバの顔を公開する、撮影画像公開方法。
【請求項５】
カメラ部と、前記カメラ部が撮影した撮影画像を保存する画像保存部と、前記撮影画像を投影するプロジェクタ部と、を有してなる携帯端末に、
前記撮影画像に前記携帯端末の所持者以外のメンバが写っているか否かを検出する手順と、
前記カメラ部による撮影時に、前記撮影画像に前記メンバが写っている場合、該メンバのメンバ端末を識別するための端末ＩＤを検出情報保存部に保存するとともに、前記撮影画像に写っている前記メンバのメンバ端末から顔公開の可否を示す顔公開可否情報を取得する手順と、
前記プロジェクタ部による前記撮影画像の投影時に、該撮影画像に前記メンバが写っている場合、該メンバの顔公開可否情報が可を示していれば、該メンバの顔を公開し、該メンバの顔公開可否情報が不可を示していても、該メンバのメンバ端末の端末ＩＤをキーにして、該メンバのメンバ端末が一定範囲内に位置しているか否かを判断し、一定範囲内に位置していれば、該メンバの顔を公開する手順と、を実行させるためのプログラム。
【発明の詳細な説明】
【技術分野】
【０００１】
本発明は、携帯端末において、その携帯端末の所持者以外のメンバも写った撮影画像を投影する際に、そのメンバのプライバシー保護を行うための技術に関する。
【背景技術】
【０００２】
近年、携帯電話機やスマートフォン等の携帯端末は、多機能化が進んでおり、プロジェクタ機能を備えるものも存在する。
【０００３】
ただし、プロジェクタ機能を備える携帯端末において、所持者以外のメンバも写った撮影画像を投影する場合には、そのメンバのプライバシーにも配慮する必要がある。
【０００４】
ここで、所持者以外のメンバも写った撮影画像を公開する際に、そのメンバに対するプライバシー保護に関する技術として、特許文献１に記載された技術がある。
【０００５】
特許文献１に記載の技術によれば、端末装置は、撮影画像をＷｅｂ上のサーバに送信する際に、その撮影画像に送信者以外のメンバの顔も写っている場合、そのメンバの端末装置に公開可否の問い合わせを行い、そのメンバの端末装置から公開不可の返信を受けると、そのメンバの顔に画像処理を施してプライバシー保護を行う。
【先行技術文献】
【特許文献】
【０００６】
【特許文献１】特開２００７−０１８３８６号公報
【発明の概要】
【発明が解決しようとする課題】
【０００７】
しかしながら、特許文献１に記載の技術においては、送信者以外のメンバが写った撮影画像を公開するたびに、そのメンバに公開可否を問い合わせ、メンバは、公開可否の入力・送信を行う必要があり、送信者とメンバに多くの負荷がかかるという問題点があった。
【０００８】
また、特許文献１に記載の技術においては、公開可否の返信をしなかったメンバについては、一律、顔画像に画像処理が施されるため、そのメンバが無条件で公開可であった場合には不快な思いをさせてしまうという問題点があった。
【０００９】
また、特許文献１に記載の技術においては、画像処理として、モザイク処理や塗りつぶし処理が施されるため、メンバによっては気分を害してしまうという問題点があった。
【００１０】
そこで、本発明の目的は、上述した課題のいずれかを解決することができる携帯端末、撮影画像公開方法、プログラムを提供することにある。
【課題を解決するための手段】
【００１１】
本発明の携帯端末は、
カメラ部と、
前記カメラ部が撮影した撮影画像を保存する画像保存部と、
前記撮影画像を投影するプロジェクタ部と、
前記撮影画像に前記携帯端末の所持者以外のメンバが写っているか否かを検出する画像処理部と、
前記カメラ部による撮影時に、前記撮影画像に前記メンバが写っている場合、該メンバのメンバ端末を識別するための端末ＩＤを保存する検出情報保存部と、
前記プロジェクタ部による前記撮影画像の投影時に、該撮影画像に前記メンバが写っている場合、該メンバのメンバ端末の端末ＩＤをキーにして、該メンバのメンバ端末が一定範囲内に位置しているか否かを判断し、一定範囲内に位置していれば、該メンバの顔を公開する制御部と、を有する。
【００１２】
本発明の撮影画像公開方法は、
カメラ部と、前記カメラ部が撮影した撮影画像を保存する画像保存部と、前記撮影画像を投影するプロジェクタ部と、を有してなる携帯端末による撮影画像公開方法であって、
前記撮影画像に前記携帯端末の所持者以外のメンバが写っているか否かを検出し、
前記カメラ部による撮影時に、前記撮影画像に前記メンバが写っている場合、該メンバのメンバ端末を識別するための端末ＩＤを検出情報保存部に保存し、
前記プロジェクタ部による前記撮影画像の投影時に、該撮影画像に前記メンバが写っている場合、該メンバのメンバ端末の端末ＩＤをキーにして、該メンバのメンバ端末が一定範囲内に位置しているか否かを判断し、一定範囲内に位置していれば、該メンバの顔を公開する。
【００１３】
本発明のプログラムは、
カメラ部と、前記カメラ部が撮影した撮影画像を保存する画像保存部と、前記撮影画像を投影するプロジェクタ部と、を有してなる携帯端末に、
前記撮影画像に前記携帯端末の所持者以外のメンバが写っているか否かを検出する手順と、
前記カメラ部による撮影時に、前記撮影画像に前記メンバが写っている場合、該メンバのメンバ端末を識別するための端末ＩＤを検出情報保存部に保存する手順と、
前記プロジェクタ部による前記撮影画像の投影時に、該撮影画像に前記メンバが写っている場合、該メンバのメンバ端末の端末ＩＤをキーにして、該メンバのメンバ端末が一定範囲内に位置しているか否かを判断し、一定範囲内に位置していれば、該メンバの顔を公開する手順と、を実行させる。
【発明の効果】
【００１４】
本発明によれば、携帯端末において、所持者以外のメンバが写った撮影画像を投影する際に、所持者やメンバの負担が大幅に軽減されるという効果が得られる。
【図面の簡単な説明】
【００１５】
【図１】本発明の一実施形態の撮影画像公開システムの構成を示すブロック図である。
【図２】図１に示した携帯端末の位置関係の例を説明する図である。
【図３】図１に示した携帯端末におけるカメラ部による撮影時の動作を説明するフローチャートである。
【図４】図１に示した携帯端末におけるプロジェクタ部による撮影画像の投影時の動作を説明するフローチャートである。
【図５】図４に示したステップＢ５における顔の加工処理を説明するフローチャートである。
【発明を実施するための形態】
【００１６】
以下に、本発明を実施するための形態について図面を参照して説明する。
【００１７】
図１を参照すると、本実施形態の撮影画像公開システムは、複数の携帯端末１０と、文字データサーバ２０と、を有している。
【００１８】
また、携帯端末１０は、制御部１１と、プロジェクタ部１２と、カメラ部１３と、画像保存部１４と、画像処理部１５と、検出情報保存部１６と、顔公開可否情報保存１７と、通信部１８と、を有している。また、通信部１８は、広域通信部１８Ａと、赤外線通信部１８Ｂと、を有している。
【００１９】
なお、図１においては、携帯端末１０を２つだけ図示しているが、携帯端末１０の数は２以上であれば良い。また、携帯端末１０の構成要素のうち本発明に関連する構成要素のみを示し、その他の構成要素は省略している。また、携帯端末１０と文字データサーバ２０とは、不図示のインターネットを介して互いに接続されている。
【００２０】
広域通信部１８Ａは、文字データサーバ２０と不図示のインターネットを介して広域通信を行う。
【００２１】
赤外線通信部１８Ｂは、自己の携帯端末１０の周囲の携帯端末１０と赤外線通信を行う。
【００２２】
カメラ部１３は、写真の撮影を行う。
【００２３】
画像保存部１４は、カメラ部１３が撮影した撮影画像を保存する。なお、画像保存部１４は、後述するアルファベット画像やエラー画像も保存している。
【００２４】
画像処理部１５は、顔検出機能を備えており、カメラ部１３が撮影した撮影画像に自己の携帯端末１０の所持者以外のメンバの顔が写っているか否かを検出する。
【００２５】
例えば、画像処理部１５は、所持者の顔の特徴点情報を予め保持しておき、撮影画像から検出した顔の特徴点情報を所持者の顔の特徴点情報と比較し、その比較結果を基に、所持者の顔であるか否かを判断し、所持者の顔でなければ、メンバの顔が写っていると判断することが考えられる。
【００２６】
また、画像処理部１５は、カメラ部１３が撮影した撮影画像にメンバの顔が写っている場合、そのメンバの名前を特定する。
【００２７】
例えば、メンバの名前は、所持者自らで入力しても良いし、メンバの携帯端末１０（メンバ端末）から赤外線通信で通知してもらっても良い。
【００２８】
画像保存部１４は、上述したようにカメラ部１３が撮影した撮影画像を保存するが、その撮影画像にメンバの顔が写っている場合には、その撮影画像と、そのメンバの顔を識別するための顔画像ＩＤと、撮影画像におけるそのメンバの顔領域の位置を示す顔位置情報と、を紐付けして保存する。
【００２９】
制御部１１は、カメラ部１３が撮影した撮影画像にメンバの顔が写っている場合、そのメンバの携帯端末１０に対し、そのメンバの携帯端末１０を識別するための端末ＩＤと、そのメンバの顔公開の可否を示す顔公開可否情報と、を通知するよう赤外線通信で要求し、要求した端末ＩＤおよび顔公開可否情報を赤外線通信で取得する。
【００３０】
検出情報保存部１６は、カメラ部１３が撮影した撮影画像にメンバの顔が写っている場合、そのメンバの顔の顔画像ＩＤと、画像処理部１５が特定したそのメンバの名前を示す名前情報と、そのメンバの携帯端末１０の端末ＩＤと、を紐付けして保存する。
【００３１】
顔公開可否情報保存部１７は、カメラ部１３が撮影した撮影画像にメンバの顔が写っている場合、そのメンバの携帯端末１０の端末ＩＤと、そのメンバの顔公開の可否を示す顔公開可否情報と、を紐付けして保存する。
【００３２】
プロジェクタ部１２は、画像保存部１４に保存された撮影画像を外部に投影する。
【００３３】
制御部１１は、プロジェクタ部１２による撮影画像の投影時、撮影画像にメンバの顔が写っているか否かを判断する。
【００３４】
例えば、制御部１１は、画像保存部１４において、投影する撮影画像に顔画像ＩＤが紐付けされていれば、撮影画像にメンバの顔が写っていると判断し、その顔画像ＩＤを読み出す。
【００３５】
そして、制御部１１は、投影する撮影画像にメンバの顔が写っている場合、検出情報保存部１６にアクセスし、画像保存部１４から読み出した顔画像ＩＤに紐付けされた端末ＩＤおよび名前情報を読み出し、次に、顔公開可否情報保存部１７にアクセスし、検出情報保存部１６から読み出した端末ＩＤに紐付けされた顔公開可否情報を読み出す。
【００３６】
ここで、制御部１１は、顔公開可否情報が顔公開“可”を示すメンバについては、顔を公開すると判断する。
【００３７】
一方、制御部１１は、顔公開可否情報が顔公開“不可”を示すメンバや、顔公開可否情報を未取得のメンバについては、自己の携帯端末１０の周囲にいるか否かに応じて、顔公開の可否を判断する。
【００３８】
すなわち、制御部１１は、検出情報保存部１６から読み出したメンバの端末１０の端末ＩＤをキーにして、赤外線通信を行うことにより、撮影画像に顔が写っているメンバの携帯端末１０が、自己の携帯端末１０から一定範囲内に位置しているか否かを判断する。
【００３９】
ここで、制御部１１は、一定範囲内に位置しているメンバについては、顔公開可否情報を顔公開“可”に更新し、顔を公開すると判断する。
【００４０】
一方、制御部１１は、一定範囲内に位置していないメンバについては、顔を公開しないと判断する。
【００４１】
例えば、図２の例では、携帯端末１０−１が投影する撮影画像には、携帯端末１０−２〜１０−６の各メンバの顔が映っているとする。このうち、携帯端末１０−２，１０−４，１０−６の各メンバについては、顔公開可否情報が顔公開“可”を示しているため、顔を公開すると判断する。一方、携帯端末１０−３，１０−５の各メンバについては、顔公開可否情報が顔公開“不可”を示しているが、このうちの携帯端末１０−３は、携帯端末１０−１から一定範囲内に位置しているため、顔公開可否情報を顔公開“可”に更新し、顔を公開すると判断する。また、携帯端末１０−５は、携帯端末１０−１から一定範囲内に位置していないため、顔を公開しないと判断する。
【００４２】
制御部１１は、顔公開可否情報が顔公開“不可”を示すメンバや、顔公開可否情報を未取得のメンバの中に、一定範囲内に位置していないメンバがいる場合、文字データサーバ２０に対し、先に検出情報保存部１６から読み出した名前情報が示す名前の１文字目を広域通信で通知して、その文字（漢字・ひらがな・カタカナなど）のローマ字読みを問い合わせる。
【００４３】
制御部１１は、文字データサーバ２０からローマ字読みが返されると、画像保存部１４にアクセスし、そのローマ字読みに該当するアルファベット画像を読み出すと共に、先に画像保存部１４から読み出した顔画像ＩＤに紐付けられた顔位置情報を読み出す。
【００４４】
そして、制御部１１は、画像保存部１４から読み出したアルファベット画像を拡大または縮小して、撮影画像における顔位置情報が示すメンバの顔領域に貼り付ける処理を施す。このアルファベットはメンバのイニシャルに相当するものである。
【００４５】
なお、制御部１１は、文字データサーバ２０から返されたローマ字読みが異常であった場合、画像保存部１４からエラー画像を読み出し、そのエラー画像をメンバの顔領域に貼り付ける画像処理を施す。
【００４６】
以上詳細にシステムの構成を述べたが、画像処理部１５における顔検出機能は、当業者にとってよく知られており、また、本発明の本質的な部分ではなく、公知の機能を利用できるので、その詳細な説明は省略する。
【００４７】
また、通信部１８における赤外線通信機能は、wifiなどの他の近距離無線通信機能で代替しても良い。
【００４８】
以下、本実施形態の撮影画像公開システムにおける携帯端末１０の動作について説明する。
【００４９】
最初に、カメラ部１３による撮影時の動作について、図３を参照して説明する。
【００５０】
図３を参照すると、カメラ部１３が撮影を行うと（ステップＡ１）、まず、画像処理部１５は、撮影画像に自己の携帯端末１０の所持者以外のメンバの顔が写っているか否かを検出する（ステップＡ２）。
【００５１】
カメラ部１３が撮影した撮影画像にメンバの顔が写っている場合（ステップＡ２のＹｅｓ）、制御部１１は、撮影画像に写っているメンバの携帯端末１０に対して、顔公開可否情報を入力できる入力フォームを赤外線通信で送信する（ステップＡ３）。
【００５２】
制御部１１は、メンバから顔公開可否情報を赤外線通信で受信した場合（ステップＡ４）、そのメンバの顔が撮影画像に写っていれば（ステップＡ５のＹｅｓ）、受信した顔公開可否情報を顔公開可否情報保存部１７に保存する（ステップＡ６）。
【００５３】
このとき、制御部１１は、メンバの携帯端末１０の端末ＩＤも合わせて受信し、その端末ＩＤと、そのメンバの顔公開可否情報と、を紐付けて顔公開可否情報保存部１７に保存する。
【００５４】
また、制御部１１は、カメラ部１３が撮影した撮影画像と、その撮影画像に写っているメンバの顔画像ＩＤと、撮影画像におけるメンバの顔領域の位置を示す顔位置情報と、を紐付けて画像保存部１４に保存する。
【００５５】
さらに、制御部１１は、カメラ部１３が撮影した撮影画像に写っているメンバの顔の顔画像ＩＤと、画像処理部１５が特定したそのメンバの名前を示す名前情報と、そのメンバの携帯端末１０の端末ＩＤと、を紐付けして検出情報保存部１６に保存する。
【００５６】
続いて、プロジェクタ部１２による撮影画像の投影時の動作について、図４を参照して説明する。
【００５７】
図４を参照すると、プロジェクタ部１２による撮影画像の投影時には、まず、制御部１１は、投影する撮影画像にメンバの顔が写っているか否かを判断する（ステップＢ１）。例えば、制御部１１は、画像保存部１４において、投影する撮影画像に顔画像ＩＤが紐付けされていれば、撮影画像にメンバの顔が写っていると判断する。
【００５８】
投影する撮影画像にメンバの顔が写っている場合（ステップＢ１のＹｅｓ）、制御部１１は、投影する撮影画像に紐付けされた顔画像ＩＤを画像保存部１４から読み出し、続いて、検出情報保存部１６にアクセスし、画像保存部１４から読み出した顔画像ＩＤに紐付けされた端末ＩＤおよび名前情報を読み出し、続いて、顔公開可否情報保存部１７にアクセスし、検出情報保存部１６から読み出した端末ＩＤに紐付けされた顔公開可否情報を読み出す（ステップＢ２）。
【００５９】
次に、制御部１１は、顔公開可否情報保存部１７から読み出した顔公開可否情報が顔公開“可”を示すか否かを判断する（ステップＢ３）。
【００６０】
ここで、顔公開可否情報が顔公開“可”を示す場合（ステップＢ３のＹｅｓ）、制御部１１は、そのメンバについては、無条件で顔を公開すると判断し、顔を加工せずそのまま投影する。
【００６１】
一方、顔公開可否情報が顔公開“不可”を示す場合や顔公開可否情報が未取得の場合（ステップＢ３のＮｏ）、制御部１１は、そのメンバについては、自己の携帯端末１０の周囲にいるか否かに応じて、顔公開の可否を判断する。
【００６２】
すなわち、制御部１１は、検出情報保存部１６から読み出したメンバの端末１０の端末ＩＤをキーにして、赤外線通信を行うことにより、撮影画像に顔が写っているメンバの携帯端末１０が、自己の携帯端末１０から一定範囲内に位置しているか否かを判断する（ステップＢ４）。
【００６３】
ここで、撮影画像に顔が写っているメンバの携帯端末１０が一定範囲内に位置している場合（ステップＢ４のＹｅｓ）、制御部１１は、そのメンバについては、顔公開可否情報を顔公開“可”に更新し、顔を加工せずそのまま投影する。
【００６４】
一方、撮影画像に顔が写っているメンバの携帯端末１０が一定範囲内に位置していない場合（ステップＢ４のＮｏ）、制御部１１は、顔を公開しないと判断し、顔の加工処理を行う（ステップＢ５）。
【００６５】
その後、制御部１１は、プロジェクタ部１２に対し、撮影画像の投影を開始させる（ステップＢ６）。
【００６６】
次に、ステップＢ５における顔の加工処理について、図５を参照して詳細に説明する。
【００６７】
図５を参照すると、まず、制御部１１は、文字データサーバ２０に対し、ステップＢ２で検出情報保存部１６から読み出した名前情報が示す名前の１文字目を広域通信で通知して、その文字（漢字・ひらがな・カタカナなど）のローマ字読みを問い合わせる（ステップＣ１）。
【００６８】
制御部１１は、文字データサーバ２０からローマ字読みが返されると（ステップＣ２）、そのローマ字読みが正常であるか否かを判断する（ステップＣ３）。
【００６９】
ここで、ローマ字読みが正常である場合（ステップＣ３のＹｅｓ）、制御部１１は、画像保存部１４にアクセスし、そのローマ字読みに該当するアルファベット画像を読み出す（ステップＣ４）。このとき、制御部１１は、先に画像保存部１４から読み出した顔画像ＩＤに紐付けられた顔位置情報も読み出す。
【００７０】
一方、ローマ字読みが正常でない場合（ステップＣ３のＮｏ）、制御部１１は、画像保存部１４にアクセスし、エラー画像を読み出す（ステップＣ５）。エラー画像はアルファベット以外の記号やその他の画像とする。このとき、制御部１１は、先に画像保存部１４から読み出した顔画像ＩＤに紐付けられた顔位置情報も読み出す。
【００７１】
その後、制御部１１は、画像保存部１４から読み出したアルファベット画像またはエラー画像を拡大または縮小して、撮影画像における顔位置情報が示すメンバの顔領域に貼り付ける（ステップＣ６）。
【００７２】
上述したように本実施形態においては、携帯端末１０において、その携帯端末１０の所持者以外のメンバの顔が写っている撮影画像を投影する場合、そのメンバの携帯端末１０が一定範囲内に位置していれば、そのメンバの顔を公開する。
【００７３】
すなわち、本実施形態においては、携帯端末１０の周囲にいるメンバについては、そのメンバの顔公開可否情報の取得の有無や内容にかかわらず、顔公開可とみなす。
【００７４】
したがって、携帯端末１０において、メンバが写った撮影画像を投影する際に、所持者やメンバの負担が大幅に軽減されるという効果が得られる。
【００７５】
また、本実施形態においては、携帯端末１０において、撮影時に、撮影画像に写っているメンバから顔公開の可否を示す顔公開可否情報を取得する。
【００７６】
したがって、顔を公開して問題ないと考えているメンバの顔を加工しないようにすることができ、そのメンバに不快な思いをさせることが回避されるという効果が得られる。
【００７７】
また、本実施形態においては、メンバの顔を公開しない場合、そのメンバの名前に応じたアルファベット画像（すなわち、イニシャル画像）を顔領域に貼り付ける。
【００７８】
したがって、メンバの顔にモザイク処理や塗りつぶし処理を施す場合と比較して、そのメンバを不快にさせず、親しみのある画像を投影できるという効果が得られる。
【００７９】
以上、実施形態を参照して本発明を説明したが、本発明は上記実施形態に限定されるものではない。本発明の構成や詳細には、本発明の範囲内で当業者が理解し得る様々な変更をすることができる。
【００８０】
例えば、本実施形態においては、携帯端末１０において、赤外線通信等の近距離無線通信を用いて、メンバから顔公開可否情報を取得していたが、本発明はこれに限らず、Ｗｅｂサービスを通じて取得することとしても良い。
【００８１】
また、本実施形態においては、携帯端末１０において、撮影画像の投影時に、赤外線通信等の近距離無線通信を用いて、メンバが一定範囲内にいるか否かを判断していたが、本発明はこれに限られない。例えば、会議室の入室記録をメンバの携帯端末１０等に問い合わせることができれば、その応答結果を基にメンバが会議室に入室しているかどうかを判断し、入室しているメンバについては一定範囲内にいると判断することもできる。
【００８２】
また、本実施形態においては、携帯端末１０において、公開しない顔にアルファベット画像を貼り付けているが、本発明はこれに限らず、携帯端末１０に保持されている撮影日時情報を基に季節に応じた画像を貼り付けることもできる。また、笑顔検出などの表情検出を併用することで、スマイルマークなどの表情画像を貼り付けることもできる。
【００８３】
また、本発明の携帯端末１０にて行われる方法は、コンピュータに実行させるためのプログラムに適用しても良い。また、そのプログラムを記憶媒体に格納することも可能であり、ネットワークを介して外部に提供することも可能である。
【符号の説明】
【００８４】
１０    携帯端末
１１    制御部
１２    プロジェクタ部
１３    カメラ部
１４    画像保存部
１５    画像処理部
１６    検出情報保存部
１７    顔公開可否情報保存
１８    通信部
１８Ａ    広域通信部
１８Ｂ    赤外線通信部
２０    文字データサーバ
【図１】
0005891828.tif 000002
【図２】
0005891828.tif 000003
【図３】
0005891828.tif 000004
【図４】
0005891828.tif 000005
【図５】
0005891828.tif 000006